(57)【要約】【課題】  本発明は、容易に開けることができない安全カバーまたは収納容器の施錠装置および施錠解錠方法に関するものである。【解決手段】  第１施錠手段は、第１フックと、当該第１フックに係合する開口係合部とから構成されている。第２施錠手段は、係合突起と、前記係合突起に係合する第２フックとから構成されている。第１フックは、一方の端部に断面がほぼＬ字状の突起が成形されている。また、他方の端部には、前記第１フックを挿入して係合する開口部を備えた開口係合部が成形されている。前記一方の端部には、前記係合突起が成形されている。第２フックは、他方の端部に断面がほぼＬ字状の突起が成形され、前記係合突起と係合する。第１施錠手段および第２施錠手段は、互いの端部を合わせることにより、第１フックおよび第２フックが前記開口係合部および係合突起を乗り越えて施錠される。【選択図】    図１
2006232285.tif 000002
【特許請求の範囲】
【請求項１】
一方および他方を一体または別体にヒンジ結合するとともに、前記ヒンジ結合と反対側における端部に成形された係合部で施錠する施錠装置において、
一方の端部に成形された第１フックと、他方の端部に成形され、前記第１フックを挿入して係合する開口部を備えた開口係合部とからなる第１施錠手段と、
前記一方の端部に成形された係合突起と、他方の端部に成形され、前記係合突起と係合する第２フックとからなる第２施錠手段と、
を少なくとも備えていることを特徴とする施錠装置。
【請求項２】
前記第１フックと第２フックの向きは、逆方向になっていることを特徴とする請求項１に記載された施錠装置。
【請求項３】
前記第１フックは、前記開口係合部の内部に成形された係合凹部に係合されることを特徴とする請求項１または請求項２に記載された施錠装置。
【請求項４】
前記施錠装置は、安全カバーまたは収納容器に一体成形されていることを特徴とする請求項１から請求項３のいずれか１項に記載された施錠装置。
【請求項５】
一方および他方を一体または別体にヒンジ結合するとともに、前記ヒンジ結合と反対側における端部に成形された係合部で施錠するカバーまたは収納容器の施錠解錠方法において、
一方のカバー端部または蓋体に成形された第１フックと、他方のカバー端部または収納容器に成形され、前記第１フックを挿入して係合する開口部を備えた開口係合部とからなる第１施錠手段と、
前記一方のカバー端部または蓋体に成形された係合突起と、他方のカバー端部または収納容器に成形され、前記係合突起と係合する第２フックとからなる第２施錠手段と、
を少なくとも備えているカバーまたは収納容器の前記第１施錠手段と第２施錠手段を互いに係合させて、カバーまたは収納容器を閉じることにより施錠し、
その後、
前記カバーまたは収納容器で、前記第１施錠手段または第２施錠手段から一番遠い部分における合わせ部に力を加えることにより前記施錠手段を解錠することを特徴とするカバーまたは収納容器の施錠解錠方法。
【発明の詳細な説明】
【技術分野】
【０００１】
本発明は、容易に開けることができない安全カバーまたは収納容器の施錠装置および施錠解錠方法に関するものである。また、本発明は、電気機器等のコネクタ部分等を間違えて外すことに基づく事故を防止する安全カバーの施錠装置および施錠解錠方法に関するものである。特に、本発明は、子供が収納容器の蓋を開けて、薬、化粧品、電池、その他の害のある物を取り出して口に入れるのを防止することができる安全カバーまたは収納容器の施錠装置および施錠解錠方法に関するものである。
【背景技術】
【０００２】
たとえば、特開平５−８６７５０号公報に記載されている開閉扉の施錠装置は、押ボタンを外側から開閉自在な安全カバーにより覆うことで、前記押ボタンを不用意に押せないようにしている。
【特許文献１】特開平５−８６７５０号公報
【発明の開示】
【発明が解決しようとする課題】
【０００３】
安全カバーまたは収納容器等の施錠装置は、内容物を必要な時に、出したり点検したりできることが望ましい。しかし、薬、化粧品、玩具等の電池は、子供の口に入る危険がある。そこで、前記薬、化粧品、玩具等の電池は、安全カバーや収納容器に入れて簡単に開けられないように施錠する必要があった。また、電気器具におけるコネクタ部は、外さないようにコネクタカバーによって覆われている場合がある。しかし、前記コネクタカバーは、簡単に施錠が外れてしまっては意味がない。また、前記薬、化粧品、玩具等の電池を収納する容器の蓋が簡単に開けられない施錠装置は、構造が複雑となり、高価になるだけでなく、使用が不便になる場合がある。
【０００４】
以上のような課題を解決するために、本発明は、通常の力では開くことができない施錠装置および施錠解錠方法を提供することを目的とする。本発明は、施錠装置の解錠方法を知っている者以外、開けることが困難な施錠装置および施錠解錠方法を提供することを目的とする。本発明は、施錠装置の解錠方法を知っている者にとって容易に解錠できる施錠装置および施錠解錠方法を提供することを目的とする。
【課題を解決するための手段】
【０００５】
（第１発明）
第１発明の施錠装置は、一方および他方を一体または別体にヒンジ結合するとともに、前記ヒンジ結合と反対側における端部に成形された係合部で施錠するものであり、一方の端部に成形された第１フックと、他方の端部に成形され、前記第１フックを挿入して係合する開口部を備えた開口係合部とからなる第１施錠手段と、前記一方の端部に成形された係合突起と、他方の端部に成形され、前記係合突起と係合する第２フックとからなる第２施錠手段とを少なくとも備えている。
【０００６】
（第２発明）
第２発明の施錠装置は、第１発明の第１フックと第２フックの向きが逆方向になっていることを特徴とする。
【０００７】
（第３発明）
第３発明の施錠装置は、第１発明または第２発明における第１フックの開口係合部の内部に成形された係合凹部に係合されることを特徴とする。
【０００８】
（第４発明）
第４発明の施錠装置は、安全カバーまたは収納容器に一体成形されていることを特徴とする。
【０００９】
（第５発明）
第５発明の施錠解錠方法は、一方および他方を一体または別体にヒンジ結合するとともに、前記ヒンジ結合と反対側における端部に成形された係合部で施錠するカバーまたは収納容器において、一方のカバー端部または蓋体に成形された第１フックと、他方のカバー端部または収納容器に成形され、前記第１フックを挿入して係合する開口部を備えた開口係合部とからなる第１施錠手段と、前記一方のカバー端部または蓋体に成形された係合突起と、他方のカバー端部または収納容器に成形され、前記係合突起と係合する第２フックとからなる第２施錠手段と、を少なくとも備えているカバーまたは収納容器の前記第１施錠手段と第２施錠手段を互いに係合させて、カバーまたは収納容器を閉じることにより施錠し、その後、前記カバーまたは収納容器で、前記第１施錠手段または第２施錠手段から一番遠い部分における合わせ部に力を加えることにより前記施錠手段を解錠することを特徴とする。
【発明の効果】
【００１０】
本発明によれば、安全カバーまたは収納容器の施錠を施した場合、第１フックと開口係合部、係合突起と第２フックの二箇所によって施錠することにより、互いに相乗効果が働き、通常の力によって開くことができないようになっているため、前記安全カバーによって覆われている物、収納容器内に入っている物が容易に取り出されることがない。
【００１１】
本発明によれば、前記第１施錠装置および第２施錠装置から離れた位置の合わせ面において、梃子の作用を働かせることにより、容易に開くことができる。前記安全カバーまたは収納容器は、梃子の作用を利用して開けることができるという知識を持ったもの以外に開けることができないため、安全を確保することができる。
【発明を実施するための最良の形態】
【００１２】
（第１発明）
第１発明の施錠装置は、互いに施錠を行う一方および他方を一体または別体にヒンジ結合するとともに、前記ヒンジ結合と反対側における端部に成形された係合部で施錠するものである。第１施錠手段は、第１フックと、当該第１フックに係合する開口係合部とから構成されている。第２施錠手段は、係合突起と、前記係合突起に係合する第２フックとから構成されている。第１フックは、一方の端部に断面がほぼＬ字状の突起が成形されている。また、他方の端部には、前記第１フックを挿入して係合する開口部を備えた開口係合部が成形されている。
【００１３】
前記一方の端部には、前記係合突起が成形されている。第２フックは、他方の端部に断面がほぼＬ字状の突起が成形され、前記係合突起と係合する。第１施錠手段および第２施錠手段は、互いの端部を合わせることにより、第１フックおよび第２フックが前記開口係合部および係合突起を乗り越えて施錠される。第１発明の施錠装置は、ある程度の距離を置いた二つの施錠装置により、通常の力では解錠できないようになっている。したがって、施錠装置は、子供あるいは開けかたを知らない者がいくら力んでも、解錠することができない。
【００１４】
（第２発明）
第２発明の施錠装置は、第１発明における第１フックと第２フックの向きが逆方向になるように成形する。前記第１フックと第２フックの向きを反対にすると、電車の連結機のような形状になるため、解錠がより困難になる。
【００１５】
（第３発明）
第２発明の施錠装置は、第１発明における第１フックを前記開口係合部の内部に成形された係合凹部に係合される。前記第１フックと開口係合部の内部成形された係合凹部に係合させているため、前記係合部が開口係合部の内部であるため、解錠が困難になる。
【００１６】
（第４発明）
第４発明の施錠装置は、子供等がいじることができないように、たとえば、電池、電気機器や玩具のコネクタ部分等の安全カバー、または、大切なものを収納する容器に一体成形しておくことができる。
【００１７】
（第５発明）
第５発明の施錠解錠方法は、一方および他方を一体または別体にヒンジ結合するとともに、前記ヒンジ結合と反対側における端部に成形された係合部で施錠するカバーまたは収納容器を開閉するためのものである。前記カバーまたは収納容器には、二つの施錠手段、たとえば、第１施錠手段および第２施錠手段が一体成形されている。第１施錠手段は、一方のカバー端部または蓋体に成形された第１フックと、他方のカバー端部または収納容器に成形され、前記第１フックを挿入して係合する開口部を備えた開口係合部とからなる。
【００１８】
第２施錠手段は、前記一方のカバー端部または蓋体に成形された係合突起と、他方のカバー端部または収納容器に成形され、前記係合突起と係合する第２フックとから構成されている。前記カバーまたは収納容器は、前記第１施錠手段と第２施錠手段を互いに係合させて、カバーまたは収納容器を閉じて施錠される。その後、カバーまたは収納容器を解錠する方法は、前記カバーまたは収納容器において、前記第１施錠手段または第２施錠手段から一番遠い部分における合わせ部に力を加えることにより、梃子の作用により少ない力で解錠することができる。また、前記施錠手段から一番遠い部分の合わせ部に、ドライバーの先端部を挟み、こじ開けるようにするともっと容易に解錠することができる。
【実施例１】
【００１９】
図１は本発明の実施例であり、（イ）は安全カバーの平面図、（ロ）は安全カバーＡ−Ａ断面図、（ハ）は安全カバーのＢ−Ｂ断面図、（ニ）は安全カバーの底面図である。図１（イ）から（ニ）において、安全カバー１１は、一方のカバー１２と他方のカバー１３とがヒンジ１４によって一体成形されている。また、前記一方のカバー１２と他方のカバー１３とは、互いに閉じることによって収納部１５が形成される。前記ヒンジ１４は、前記成形時に薄くして、前記カバーの開閉を容易にしている。
【００２０】
前記一方のカバー１２におけるヒンジ１４の反対側の端部には、開口係合部１９と、前記開口係合部１９と間隔を置いて第２フック２０が成形されている。また、前記他方のカバー１３におけるヒンジ１４の反対側の端部には、前記開口係合部１９と係合する第１フック１８と、前記第２フック２０と係合する係合突起２１とが成形されている。前記開口係合部１９は、図１（ハ）および（ニ）において、示されているように、開口部の内部に係合凹部を成形することができる。前記安全カバー１１の施錠方法は、前記一方のカバー１２と他方のカバー１３とを押すだけで、前記開口係合部１９と第１フック１８と、前記第２フック２０と係合突起２１とが簡単に互いに係合する。
【００２１】
第１フック１８と第２フック２０とは、開口係合部１９と係合突起２１に係合する状態で、互いに反対方向をむくようにすることが望ましい。前記安全カバー１１は、内部に電池等を入れる場合、電池からのリード線が通る第１開口部１６および第２開口部１７を任意に設けることができる。また、ヒンジ１４は、一方のカバー１２および他方のカバー１３と一体または別体に作製することができる。前記安全カバー１１は、必要な強度および弾性を有する合成樹脂部材であれば、特に限定されるものではない。
【００２２】
図２（イ）および（ロ）は本発明の実施例で、一方のカバーと他方のカバーを合わせて、安全カバーを施錠した状態を説明するための図である。図２（イ）および（ロ）において、安全カバー１１は、第１フック１８と開口係合部１９、および第２フック２０と係合突起２１において互いに係合させることによって施錠される。図２（ロ）に示すように、前記第１フック１８は、開口係合部１９の内部にある凹部に係合されているため、この部分で開けようとしても、解錠することができない。すなわち、前記安全カバー１１は、内部に薬、化粧品、電池等を入れておいても、小児が間違っても解錠することができない。
【００２３】
図３（イ）および（ロ）は本発明の実施例における解錠方法を説明するための図である。図３（イ）および（ロ）において、安全カバー１１は、施錠された状態で、たとえば、ドライバー３１の先端部が、好ましくは、第１フック１８と開口係合部１９から一番離れた端部３２に押し込まれる。その後、解錠に際し、ユーザは、前記ドライバー３１の先端部をこじ開けるように動かすことにより、梃子の作用により第２フック２０および係合突起２１が開き、さらに、力を入れることにより、一番強固に係合されていた開口係合部１９および第１フック１８の係合を離し、解錠できる。
【００２４】
前記解錠は、ドライバー３１を使用したが、梃子のこつを覚えれば、指の爪等を挟みながらこじ開けることにより、安全カバー１１を簡単に開けることができる。本発明の実施例を安全カバー１１によって説明したが、収納容器とその蓋との係合もほぼ同じ形状にすることにより、堅固に施錠ができ、開けかたを知れば簡単に解錠ができる。
【産業上の利用可能性】
【００２５】
以上、本実施例を詳述したが、本発明は、前記本実施例に限定されるものではなく、特許請求の範囲に記載されている事項を逸脱することがなければ、種々の設計変更を行うことが可能である。本実施例は、安全カバーで説明したが、蓋付の収納容器の施錠・解錠についても、全く同じ形状のものが使用できる。前記安全カバーおよび収納容器は、合成樹脂部材のような成形が容易なものであり、多少弾性があるものが望ましいが、特に、周知または公知の部材を使用することができる。
【００２６】
また、本発明の安全カバーは、カテーテルを接続するコネクタ部を覆うことにより、患者が勝手に外したり、知らない間に外れるのを防ぐことができる。
【図面の簡単な説明】
【００２７】
【図１】本発明の実施例であり、（イ）は安全カバーの平面図、（ロ）は安全カバーＡ−Ａ断面図、（ハ）は安全カバーのＢ−Ｂ断面図、（ニ）は安全カバーの底面図である。（実施例１）
【図２】（イ）および（ロ）は本発明の実施例で、一方のカバーと他方のカバーを合わせて、安全カバーを施錠した状態を説明するための図である。
【図３】（イ）および（ロ）は本発明の実施例における解錠方法を説明するための図である。
【符号の説明】
【００２８】
１１・・・安全カバー
１２・・・一方のカバー
１３・・・他方のカバー
１４・・・ヒンジ
１５・・・収納部
１６・・・第１開口部
１７・・・第２開口部
１８・・・第１フック
１９・・・開口係合部
２０・・・第２フック
２１・・・係合突起
【図１】
2006232285.tif 000003
【図２】
2006232285.tif 000004
【図３】
2006232285.tif 000005